(57)【要約】  【課題】  視聴中の番組に関するメタデータを得るときに、メタデータの収集と表示に時間をかけず、また、端末のリソースを無駄に消費させないメタデータ収集管理端末を提供する。【解決手段】  メタデータを指定する情報と画面の体裁情報とからなるテンプレートを管理するテンプレート管理手段１０１と、テンプレートの内容に応じて収集するメタデータの収集規則を生成するメタデータ収集規則生成手段１０２と、収集規則に基づきメタデータを収集するメタデータ収集手段１０３と、収集したメタデータを管理するメタデータ管理手段１０４と、番組と共にリアルタイムに受信するリアルタイムメタデータを管理するリアルタイムメタデータ管理手段１０５と、テンプレートに、リアルタイムメタデータ及びメタデータによりポータル文書を生成するポータル文書生成手段１０６と、を備えるメタデータ収集管理端末である。【選択図】  図１
2005339188.tif 000002
【特許請求の範囲】
【請求項１】
メタデータを指定する情報と画面の体裁情報とからなるテンプレートを管理するテンプレート管理手段と、前記テンプレートの内容に応じて収集するメタデータの収集規則を生成するメタデータ収集規則生成手段と、前記収集規則に基づきメタデータを収集するメタデータ収集手段と、前記収集したメタデータを管理するメタデータ管理手段と、番組と共にリアルタイムに受信するリアルタイムメタデータを管理するリアルタイムメタデータ管理手段と、前記テンプレートに、前記リアルタイムメタデータ及び前記メタデータによりポータル文書を生成するポータル文書生成手段と、を備えることを特徴とするメタデータ収集管理端末。
【請求項２】
さらに、ポータル画面出力手段を備え、前記ポータル文書に基づきポータル画面を出力することを特徴とする請求項１に記載のメタデータ収集管理端末。
【請求項３】
前記テンプレートは、前記リアルタイムメタデータから特定のメタデータを抽出するリアルタイムメタデータ抽出命令を含むことを特徴とする請求項１または請求項２に記載のメタデータ収集管理端末。
【請求項４】
前記テンプレートは、前記リアルタイムメタデータ抽出命令で抽出したメタデータを利用して前記メタデータ管理手段から特定のメタデータを抽出するメタデータ抽出命令を含むことを特徴とする請求項１から請求項３のいずれかに記載のメタデータ収集管理端末。
【請求項５】
前記メタデータ収集規則生成手段は、前記テンプレート管理手段で管理しているテンプレートが更新されたとき、前記メタデータ収集規則を生成することを特徴とする請求項１から請求項４のいずれかに記載のメタデータ収集管理端末。
【請求項６】
コンピュータを、
コンテンツのメタデータを指定する情報と画面の体裁情報とからなるテンプレートを管理するテンプレート管理手段と、前記テンプレートの内容に応じて収集するメタデータの収集規則を生成するメタデータ収集規則生成手段と、前記収集規則に基づきメタデータを収集するメタデータ収集手段と、前記収集したメタデータを管理するメタデータ管理手段と、番組と共にリアルタイムに受信するリアルタイムメタデータを管理するリアルタイムメタデータ管理手段と、前記テンプレートに、前記リアルタイムメタデータ及び前記メタデータによりポータル文書を生成するポータル文書生成手段と、して機能させるためのメタデータ収集管理プログラム。
【発明の詳細な説明】
【技術分野】
【０００１】
本発明はメタデータを収集して管理する端末に関し、特にメタデータ収集規則にしたがって予めメタデータを収集し、リアルタイムで視聴中の番組に関連するメタデータを表示するメタデータ収集管理端末に関する。
【背景技術】
【０００２】
メタデータは、映像、音声、音響、文字、図形、グラフィックスのうち少なくとも一つを含んだコンテンツの特徴を示す構造化されたデータである。メタデータは、図８に示すように、「メタ要素」と「メタ要素内容」とで構成され、テキストベースで表現されている。「メタ要素」とは、メタデータが参照するコンテンツの特徴をあらわす種別であり、例えば、図９に示すように、「番組ＩＤ」、「タイトル」、「出演者」、「ジャンル」、「詳細情報」等がある。「メタ要素内容」とは、「メタ要素」で示す種別に対する実体であり、例えば、「メタ要素」が「タイトル」であればその「メタ要素内容」は「ドラマ  たけ蔵」等であり、「メタ要素」が「出演者」であればその「メタ要素内容」は「Ａさん」、「Ｂさん」、あるいは「Ｃさん」等である。なお、メタデータの記述形式はXML形式であり、RDF（Resource Description Framework）やDublin Core、MPEG7メタデータ、TVAメタデータ等がある。
【０００３】
メタデータはネットワークを介して複数存在しているので、メタデータの収集は、ユーザが収集したいメタデータを選択操作で絞り込むことにより行われている。例えば、ユーザが収集したいメタデータのキーワードを入力することにより、メタデータを絞り込んで収集している。また、過去に収集したメタデータの統計をとることでデータ選択ルールを生成し、データ選択ルールにしたがってメタデータを限定して絞り込む技術が特許文献１に開示されている。
【特許文献１】特開２００２−４４０４０
【発明の開示】
【発明が解決しようとする課題】
【０００４】
しかしながら、メタデータの収集を、キーワードにより絞り込む場合は、最適なキーワードを用いなければ、不要なメタデータも収集してしまい、端末のリソースを無駄に消費してしまうという問題がある。また、統計をとることにより絞り込む場合は、データ選択ルールにより収集するメタデータをコンテンツ単位でしか限定することができないため、例えば、コンテンツ毎に記載されるメタデータのうち、タイトルと詳細情報とジャンルだけを収集し、それ以外の出演者やコンテンツのビットレートや言語は収集しないというようにすることはできないため、こちらも不要なメタデータを収集してしまい、端末のリソースを無駄に消費してしまう、という問題がある。さらに、メタデータを表示する際に、ネットワークへ向けてメタデータの収集動作を行っているので、収集する分の時間がかかり表示するまでに余計な時間がかかるという問題がある。
【０００５】
本発明は上記の問題に着目し、メタデータの収集と表示に時間をかけず、また、端末のリソースを無駄に消費させない、メタデータ収集管理端末を提供することを目的とし、さらに、メタデータの収集操作をせずに、リアルタイムで視聴中の番組に関連するメタデータを知ることができる、メタデータ収集管理端末を提供することを目的とする。
【課題を解決するための手段】
【０００６】
本発明の請求項１に記載の発明は、メタデータを指定する情報と画面の体裁情報とからなるテンプレートを管理するテンプレート管理手段と、前記テンプレートの内容に応じて収集するメタデータの収集規則を生成するメタデータ収集規則生成手段と、前記収集規則に基づきメタデータを収集するメタデータ収集手段と、前記収集したメタデータを管理するメタデータ管理手段と、番組と共にリアルタイムに受信するリアルタイムメタデータを管理するリアルタイムメタデータ管理手段と、前記テンプレートに、前記リアルタイムメタデータ及び前記メタデータによりポータル文書を生成するポータル文書生成手段と、を備えることを特徴とするメタデータ収集管理端末である。
【０００７】
本発明の請求項２に記載の発明は、請求項１に記載のメタデータ収集管理端末について、さらに、ポータル画面出力手段を備え、前記ポータル文書に基づきポータル画面を出力することを特徴とする。
【０００８】
本発明の請求項３に記載の発明は、請求項１または請求項２に記載のメタデータ収集管理端末について、前記テンプレートは、前記リアルタイムメタデータから特定のメタデータを抽出するリアルタイムメタデータ抽出命令を含むことを特徴とする。
【０００９】
本発明の請求項４に記載の発明は、請求項１から請求項３のいずれかに記載のメタデータ収集管理端末について、前記テンプレートは、前記リアルタイムメタデータ抽出命令で抽出したメタデータを利用して前記メタデータ管理手段から特定のメタデータを抽出するメタデータ抽出命令を含むことを特徴とする。
【００１０】
本発明の請求項５に記載の発明は、請求項１から請求項４のいずれかに記載のメタデータ収集管理端末について、前記メタデータ収集規則生成手段は、前記テンプレート管理手段で管理しているテンプレートが更新されたとき、前記メタデータ収集規則を生成することを特徴とする。
【００１１】
本発明の請求項６に記載の発明は、コンピュータを、コンテンツのメタデータを指定する情報と画面の体裁情報とからなるテンプレートを管理するテンプレート管理手段と、前記テンプレートの内容に応じて収集するメタデータの収集規則を生成するメタデータ収集規則生成手段と、前記収集規則に基づきメタデータを収集するメタデータ収集手段と、前記収集したメタデータを管理するメタデータ管理手段と、番組と共にリアルタイムに受信するリアルタイムメタデータを管理するリアルタイムメタデータ管理手段と、前記テンプレートに、前記リアルタイムメタデータ及び前記メタデータによりポータル文書を生成するポータル文書生成手段と、して機能させるためのメタデータ収集管理プログラムである。
【発明の効果】
【００１２】
本発明のメタデータ収集管理端末及びメタデータ収集管理方法によれば、設定するテンプレートからメタデータ収集規則を生成して、それにしたがって予めメタデータを収集しているので、メタデータの表示に時間がかからず、また、端末のリソースを無駄に消費させなくて済む。さらに、メタデータの収集操作をしなくても、リアルタイムで視聴中の番組に関連するメタデータを知ることができる。
【発明を実施するための最良の形態】
【００１３】
以下、本発明を実施するための最良の形態について説明する。なお、本発明は以下の実施例に何ら限定されるものではなく、その要旨を逸脱しない範囲であれば、種々なる態様で実施し得るものである。
【００１４】
本実施例のメタデータ収集管理端末は、図１に示すように、テンプレート管理部１０１、メタデータ収集規則生成部１０２、メタデータ収集部１０３、メタデータ管理部１０４、リアルタイムメタデータ管理部１０５、ポータル文書生成部１０６、及びポータル画面出力部１０７を備え、メタデータ収集管理端末はネットワークに接続されている。メタデータについては、図８及び図９を用いて上記で説明したとおりである。
【００１５】
テンプレート管理部１０１は、ポータル画面の構成要素であるメタデータを検索して埋め込む命令を記したテンプレートを管理する。テンプレートの記述は、例えば、スクリプトを含むXML(eXtensible Markup Language)形式で記す。他にも、CSS(Cascade Style Sheet)、XSL(eXtensible Stylesheet Language)がある。さらに、テンプレートは、図３及び図４に示すように、リアルタイムメタデータ抽出命令と、メタデータ抽出命令と、画面体裁情報とで構成する。
【００１６】
リアルタイムメタデータは、端末にて現在視聴中の番組に付与されたメタ要素及びメタ要素内容を示し、チャンネル、番組、あるいはシーンや時間毎に変化する情報である。つまり、リアルタイムメタデータ抽出命令は、現在視聴中の番組に付与されたリアルタイムメタデータからメタ要素もしくはメタ要素内容を抽出する命令である。例えば、図４に示すリアルタイムメタデータ抽出命令は、
ＲＥＡＬ＿Ａ＝リアルタイムメタデータ抽出命令（メタ要素＝出演者）
と記されており、これは、現在視聴中の番組に付与されたリアルタイムメタデータの中からメタ要素が出演者であるメタ要素内容を抽出する命令であり、その結果をＲＥＡＬ＿Ａに代入することを示す。なお、リアルタイムメタデータは上記に限ったものではなく、時々刻々と変化更新していくメタデータである。例えば、ＨＤＤ容量や端末状態に関するメタデータでもよい。
【００１７】
また、メタデータ抽出命令はメタデータ収集規則にしたがって事前に収集したメタデータの中からメタ要素もしくはメタ要素内容を抽出する命令である。図４に示すメタデータ抽出命令は、
ＭＥＴＡ＿Ａ＝メタデータ抽出命令（検索式＝ＲＥＡＬ＿Ａ、出力＝タイトル）
と記されており、これは、先のリアルタイムメタデータ抽出命令で得られた結果ＲＥＡＬ＿Ａ（＝現在視聴中の番組に出演している出演者）を検索式の一部として利用し、その検索結果に関連する（＝出演者が出演している）コンテンツのタイトル名を抽出する命令であり、そのタイトル名をＭＥＴＡ＿Ａに代入することを示す。つまり、現在視聴中の番組の出演者が通信コンテンツに出演しているタイトル名を抽出するものである。画面体裁情報は、テンプレートに記されている、リアルタイムメタデータ抽出命令と、メタデータ抽出命令とにより得られたメタデータを埋め込み、画面の体裁を形作る文書である。
【００１８】
つまり、図４に示す画面体裁情報は、
＜ＨＴＭＬ＞ＭＥＴＡ＿Ａ  ＜／ＨＴＭＬ＞
と記されており、これは、メタデータ抽出命令から得られた結果（＝ＭＥＴＡ＿Ａ）を画面に表示するものである。このように構成されるテンプレートはユーザにより設定することができ、変更することもできる。また、テンプレート管理手段１０１は記録媒体であり、例えば、HDD、DVD-RAM/R/RW、SDカード、メモリスティック等の不揮発性記録媒体及びRAM等の揮発性記録媒体を用いる。なお、テンプレート管理手段１０１には外部からテンプレートを登録するインタフェースを備えてもよい。例えば、ユーザからの入力やネットワークからの入力がある。
【００１９】
メタデータ収集規則生成部１０２は、テンプレート管理部１０１で管理されているテンプレートにおけるメタデータ抽出命令及びリアルタイムメタデータ抽出命令を解釈し、これをもとに、ネットワークから収集するメタデータの収集規則を生成する。また、テンプレート管理部１０１で管理されているテンプレートの更新の有無についても監視しており、更新があった場合には、メタデータの収集規則も同時に更新する。
【００２０】
メタデータ収集規則生成部１０２の内部構成は、図２に示すように、テンプレート入力部１０２１、テンプレート解釈部１０２２、メタ要素抽出部１０２３、及びメタデータ収集規則出力部１０２４を備えている。例えば、図４に示すようなテンプレートがテンプレート管理部１０１から送られてくる場合、テンプレート入力部１０２１を介してテンプレート解釈部１０２２に入力され、テンプレート解釈部１０２２では、リアルタイムメタデータ抽出命令が、現在視聴中の番組に出演している「出演者」を抽出する命令であることを解釈し、メタデータ抽出命令が、その出演者が出演している他のコンテンツの「タイトル」を抽出する命令であることを解釈する。そして、メタ要素抽出部１０２３では、「タイトル」と「出演者」をメタ要素としてメタデータ収集規則を決定し（図５参照）、メタデータ収集規則は、メタデータ収集規則出力部１０２４を介してメタデータ収集部１０３に送られる。なお、メタ要素抽出部１０２３でのメタ要素の選別時にユーザの嗜好や操作履歴等ユーザプロファイルを加味してメタデータ収集規則を決定してもよい。
【００２１】
メタデータ収集部１０３では、メタデータ収集規則にしたがってネットワークを介してサーバからメタデータを収集する。つまり、図５に示すようなメタデータ収集規則がメタデータ収集部１０３に送られた場合、すぐに、もしくはポータル画面を生成する前にサーバからメタデータを収集する。また、収集するメタデータは、「タイトル」と「出演者」に関するメタ要素のみである。図９を例に挙げると、「タイトル」と「出演者」以外のメタ要素である「番組ＩＤ」や「ジャンル」、「詳細情報」等は収集しない。その結果、図１１に示すようなメタデータだけを収集する。なお、メタデータの収集は、一度すべてのメタ要素及びメタ要素内容を取得してから端末内で必要なメタ要素とメタ要素内容だけを選択してもよい。また、メタデータを収集するネットワークは双方向通信に限ったものではなく、片方向の放送網等でもよい。
【００２２】
メタデータ管理部１０４は、メタデータ収集部１０３で収集したメタデータを管理する。図７にメタデータ管理部１０４で管理するメタデータを示す。メタデータ管理部１０４は記録媒体であり、例えば、HDD、DVD-RAM/R/RW、SDカード、メモリスティック等の不揮発性記録媒体及びRAM等の揮発性記録媒体を用いる。
【００２３】
リアルタイムメタデータ管理部１０５は、端末において現在視聴中の番組に付与されたメタデータ（メタ要素及びメタ要素内容）を管理する。番組に付与されたメタデータとして例えば、デジタル放送における番組タイトルやその番組の出演者やその番組の詳細情報、番組開始時刻といったSI（Service Information）情報がある。なお、SI情報に限らず、MPEG7やTVAnytimeで規定するメタデータでもよい。図７にリアルタイムメタデータ管理部１０５で管理するリアルタイムメタデータを示す。なお、上記リアルタイムメタデータは現在視聴中の放送番組のメタデータを示しているが、時々刻々と変化するメタデータとして他にも端末が自動的にコンテンツを蓄積したり、ユーザがコンテンツを不定期に蓄積することを想定すると、現在までに蓄積されているコンテンツリストもリアルタイムメタデータとなる。リアルタイムメタデータ管理部１０５は記録媒体であり、例えば、HDD、DVD-RAM/R/RW、SDカード、メモリスティック等の不揮発性記録媒体及びRAM等の揮発性記録媒体を用いる。
【００２４】
ポータル文書生成部１０６は、テンプレート管理部１０１で管理している特定のテンプレートを選択し、そのテンプレートに記されているリアルタイムメタデータ抽出命令により、リアルタイムメタデータ管理部１０５からキーワードを抽出し、そのキーワードを検索式の一部として利用したメタデータ抽出命令により、メタデータ管理部１０４からメタデータを検索し取得する。これにより、図６に示すようなポータル文書を生成する。つまり、このように生成されるポータル文書により、リアルタイムで視聴中の番組に関連するメタデータを得ることができる。ポータル文書は、HTML(Hyper Text Markup Language)文書や、BML(Broadcast Markup Language)文書がある。
【００２５】
ポータル画面出力部１０７は、このポータル文書に従いポータル画面を出力する（図７参照）。ポータル画面は本装置を扱うユーザに提示するコンテンツのナビゲーション画面である。これにより、ユーザは、番組を視聴しながら、その番組のリアルタイムメタデータに関連した情報を得ることができる。ポータル画面出力部１０７は、ポータル文書を表示するための専用ブラウザや専用アプリケーション等を用いる。
【００２６】
以下、図１０を用いてポータル画面を出力するまでの動作を説明する。はじめに、テンプレート管理部１０１にて、リアルタイムメタデータ抽出命令、メタデータ抽出命令、及び画面体裁情報とからなるテンプレートを管理する（Ｓ１０１）。新しくテンプレートが登録された、もしくは自動的にテンプレートがメタデータ収集規則生成部１０２に送られ、ここで、テンプレートに記されている、リアルタイムメタデータ抽出命令及びメタデータ抽出命令が解釈され、その命令に基づいて収集するメタデータの種類を示す収集規則が生成される（Ｓ１０２）。生成されたメタデータの収集規則はメタデータ収集部１０３に送られ、メタデータ収集規則にしたがってネットワークを介してサーバからメタデータを収集してくる。これにより、ポータル文書を生成する前にテンプレートに記された、メタデータを事前に収集することができる（Ｓ１０３）。収集されたメタデータはメタデータ管理部１０４にて管理する（Ｓ１０４）。一方、リアルタイムメタデータ管理部１０５では、現在視聴中の番組もしくは番組シーンに関するメタデータ（メタ要素及びメタ要素内容）を管理している（Ｓ１０５）。この状況でユーザがポータル画面の表示を要求した場合、ポータル文書生成部１０６に対してポータル画面生成要求が届き、テンプレート管理部１０１で管理している特定のテンプレートを選択し、テンプレートに記されているリアルタイムメタデータ抽出命令に従い、リアルタイムメタデータ管理部１０５から現在視聴中の番組もしくは番組シーンに関するメタデータを取得する。そのメタデータの中でリアルタイムメタデータ抽出命令に従いメタ要素もしくはメタ要素内容を抽出し、その抽出したメタ要素もしくはメタ要素内容を検索式の一部としてメタデータ管理部１０４からメタデータを検索し、結果として得られたメタ要素もしくはメタ要素内容をテンプレートの所定の場所に埋め込み、ポータル文書を生成する（Ｓ１０６）。なお、リアルタイムメタデータは、チャンネル、番組、あるいはシーンや時間毎に変化するメタデータなので、ポータル文書もそれらに従って変化する。最後にポータル画面出力部１０７は、ポータル文書に従い、ポータル画面を出力する（Ｓ１０７）。
【００２７】
以上、本実施例によれば、メタデータを抽出するための命令が記載されたテンプレートをもとに収集すべきメタデータの種類を指定するメタデータ収集規則を生成し、それに従って、事前にポータル画面を生成するのに必要最低限のメタデータを収集しているので、メタデータを埋め込んだポータル画面の表示に時間がかからず、また、端末のリソースは無駄に消費させなくて済む。さらに、テンプレート更新時もしくは自動的にメタデータ収集規則を生成しポータル画面生成前にメタデータを収集していることにより、ポータル画面を表示したいときにメタデータの収集操作をしなくても、視聴中の番組に関連するメタデータを得ることができ、リアルタイムでポータル画面を表示することができる。
【産業上の利用可能性】
【００２８】
本発明にかかるポータル画面生成装置は、ユーザや端末毎に個別のポータル画面を生成するときに記録容量が少ない端末等であってもポータル画面の情報量を落とさずに提示する場合に有用である。また、ポータル画面をすばやく表示する場合にも利用できる。
【図面の簡単な説明】
【００２９】
【図１】本発明のメタデータ収集管理端末を示すブロック図
【図２】本発明のメタデータ収集規則生成部の内部構成を示すブロック図
【図３】本発明のテンプレートの構成例を示す図
【図４】本発明のテンプレートの具体例を示す図
【図５】本発明のメタデータ収集規則を示す図
【図６】本発明のポータル文書を示す図
【図７】本発明のメタデータ収集管理端末を用いてポータル画面を出力するまでのプロセスを示す図
【図８】メタデータの構成例を示す図
【図９】メタデータの具体例を示す図
【図１０】本発明のメタデータ収集管理端末の処理手順を示すフロー図
【図１１】メタデータ収集規則に従って収集したメタデータを示す図
【符号の説明】
【００３０】
１０１  テンプレート管理部
１０２  メタデータ収集規則生成部
１０３  メタデータ収集部
１０４  メタデータ管理部
１０５  リアルタイムメタデータ管理部
１０６  ポータル文書生成部
１０７  ポータル画面出力部
１０２１  テンプレート入力部
１０２２  テンプレート解釈部
１０２３  メタ要素抽出部
１０２４  ポータルテンプレートポータル文書生成部
１０２５  メタデータ収集規則ポータル画面出力部
【図１】
2005339188.tif 000003
【図２】
2005339188.tif 000004
【図３】
2005339188.tif 000005
【図４】
2005339188.tif 000006
【図５】
2005339188.tif 000007
【図６】
2005339188.tif 000008
【図７】
2005339188.tif 000009
【図８】
2005339188.tif 000010
【図９】
2005339188.tif 000011
【図１０】
2005339188.tif 000012
【図１１】
2005339188.tif 000013